(57)【要約】【課　題】ティシューペーパー等の取り出し口のポリエチレンフィルムを不要とし、石油資源の節約と、ボックス加工工程の短縮によるコストダウンを可能にし、更に加えて，空き箱のリサイクルが可能と成る為，パルプ資源の節約と、二酸化炭素等をはじめとする大気汚染物質排出の抑制による環境の保全を提供する。【解決手段】ボックス天面（７）に、スリット（５）又は任意の幅の隙間（１０）を設け、その両端に切り込み（３）を設け、その切り込みに夫々円弧状で結ぶ折り目（２）を設けて出来た一片、又は、二片の可動片を構成するティシューペーパー等の取り出し口構造を特徴とする。【選択図】　　　　　　　図１
2004059150.tif 000002
【特許請求の範囲】
【請求項１】
ティシューボックス等の天面に設けられたスリットと、該スリットの両端に設けた切り込みと、該切り込みの相対する部分を結んでスリット中心部付近に向かって円弧状に膨らんだ折り目を設け、この折り目とスリットにより可動片が構成され、円弧状折り目は、可動片が閉じる方向へ力が働く形状である事を特徴とするティシューペーパー等の取り出し口構造。
【請求項２】
可動片が一個或いは二個である事を特徴とする、請求項１記載のティシューペーパー等の取り出し口構造。
【請求項３】
可動片の両端部に補助可動片を構成する様に弧状の折り目が設けられ、補助可動片は、閉じる方向へ力が働く形状に成っている事を特徴とする請求項１又は２に記載のティシューペーパー等の取り出し口構造。
【請求項４】
可動片を構成させる折り目が、該可動片がスリット中央部附近で狭くなった円弧状折り目と成ったもので、ティシューペーパー取り出し口を閉じる働きが弱まったものである事を特徴とする請求項３に記載のティシューペーパー等の取り出し口構造。
【請求項５】
スリットの中間或いは任意の位置に、任意の形状の、スリットを開く為の指押し部或いは爪かけ部を構成する事を特徴とする請求項１、２、３、又は４に記載のティシューペーパー等の取り出し口構造。
【請求項６】
指押し部は、押し破った状態で最上部に位置するティシューペーパー等のシート片の端部が露出する位置にあって、その最上部のティシューペーパー等を取り出し易くした事を特徴とする、請求項１、２、３、４、又は５に記載のティシューペーパー等の取り出し口構造。
【請求項７】
対向する可動片の隣接辺が、ティシューペーパー等のシート片を全体で保持すると共に、シート片取り出しに際して、取り出し口とティシューペーパーとの摩擦を小さくする為に必要な隙間の間隔を有する物である事を特徴とする請求項１、２、３、４、５、又は６に記載のティシューペーパー等の取り出し口構造。
【請求項８】
ボックス天面中央部に任意の隙間を設け、その中央部又は任意の箇所に、最上部のティシューペーパーの取り出し穴を兼ねた指押し部又は爪掛けを設けたティシューペーパー等の取り出し口構造。
【発明の詳細な説明】
【０００１】
【発明の属する技術分野】
本発明は、従来ティシューボックス等のペーパー取り出し口に貼り付けていたポリエチレンフィルムを不要なものとし、石油資源の節約と空き箱のリサイクル、更にはポリエチレンフィルムを貼る工程が省ける事によるボックス加工工程の短縮によるコストダウンを可能にするティシューペーパー等を取り出す，取り出し口構造に関するものである。
【０００２】
【従来の技術】
従来、市場に出回っているティシューボックスを始めとするこの種のボックスの殆どが、ボックス天面の中央部に楕円形或いは長方形にミシン刃で窓状に設けられた開口部が構成された部分を破り取り、その下に貼り付けられたポリエチレンフィルムのスリット部からティシューペーパー等を取り出す構造であった。
【０００３】
【発明が解決しようとする課題】
これには、次ぎの様な欠点があった。
イ）　ティシューペーパー等の取り出し口が、任意の大きさのミシン刃で囲まれた窓状の部分を破る必要があった。
ロ）　市場に出回っているティシューペーパー等のこの種の箱の殆どがポリエチレンフィルムを貼る工程と、その材料のポリエチレンフィルムが、石油資源を消費する無駄があった。
ハ）　ポリエチレンフィルムを貼っているので、ティシューペーパー等の使用後の空き箱は、製紙原料として再使用される事が無く、その殆どが焼却されていた為、二酸化炭素等を始めとする有害物質を排出する大気汚染の要因の一つに成っていた。
【０００４】
【課題を解決するための手段】
ティシューペーパー等の取り出し口（１）を設けるボックス天面（７）に、中央部か、箱天面の長さ面の陵辺のいずれか一方に片寄った位置に、ウェーブ刃或いはミシン刃で直線又は弧状曲線で取り出し口のスリット（５）又は任意の幅の隙間（１０）を設ける。このスリット（５）又は任意の幅の隙間（１０）の両端には、任意の形状の切り込み（３）を設け、その切り込み（３）の相対する部分を結ぶ様に任意の円弧状の折り目（２）を設ける。この切り込み（３）と任意の円弧状の折り目（２）によって一片又は２片の可動片（４）を構成させる。本発明は、以上の構成より成るティシューペーパー等の内容物を連続して取り出す構造を有するボックスである。
【０００５】
【発明の実施の形態１】
以下、図１から図５を用いて本発明の実施の形態について説明する。
イ）ボックス天面（７）の中央部にウェーブ刃でスリット（５）をいれる。
このスリット（５）に関してはウェーブ刃の他にミシン刃を利用する事が出来る。
ロ）スリット（５）の形状は、図に於いては直線状で示しているが、弧状曲線でも良い。
ハ）スリット（５）の両端には、湾曲状の切り込み（３）を設け、該切り込みに相対する切り口を結ぶ様に、任意の円弧状の折り目（２）を設ける。これによりスリット（５）によって一対の可動片が構成される。
ニ）任意の円弧状の折り目（２）の両端の切り込み（３）は、湾曲状に設けているが、この切り込みの形状は、くの字形、角形、コの字形等、可動片が機能する形状であれば良く、その形状には限定はない。
ホ）スリット（５）の中央部又は任意の箇所に、円状に切り取れる取り外し部（１３）が、ミシン刃で設けられた指押し部（６）を構成する。この取り外し部（１３）を取り外す事によって、指押し部からスリット（５）を開け易い様にしている。
図１から図５は以上の様な構造になっている。
以下、本発明の使い方について説明する。
ボックス天面（７）の中央部の取り外し部（１３）を切り口に沿って押し開いて取り外す。その後、スリット（５）を切り口に沿って押し開き、最上部のティシュペーパー（１４）を取り出し、以後連続してティシューペーパーが取り出せる。ハ項で構成された可動片（４Ａ），（４Ｂ）は、ボックス天面との接続部が、前記ハ項で記述の通り円弧状の折り目に成っているので、可動片（４Ａ），（４Ｂ）は夫々ティシューペーパー取り出し口（１）を閉じる力が働いて居り、ティシューペーパー（８）を連続して取り出しても、取り出し口（１）にティシューペーパー（８）が半分程度取残された状態で，図１、図２の様になる。可動片（４Ａ），（４Ｂ）の円弧状の折り目（２）は中央部が広く成っているので最上部のティシューペーパー（１４）を取出し易い構造と成っている。
図１から図５の取り出し口構造には、次の様に図６から図１０のバリエーションが形成される。
図６に於いては取り外し部（１３）を半円の爪掛状としたもので、この場合は、半円の取り外し部（１３）をミシン刃に沿って取り外しスリット（５）を前記図１から図５で記述した様に押し開いてティシューペーパーを取り出す。以後については図１から図５の使い方の説明の通りである。
図７については、前記図６のスリット（５）を任意の幅の隙間（１０）にしたもので、この形状は、ティシューペーパー（８）と取り出し口（１）との摩擦が少なくなる構造にしたもので、スリット（５）のものに比べて取り出しはスムースである。使い方は取り外し部（１３）をミシン刃に沿って取り外すと共に隙間を切り目に沿って一度に取り外す。以後の使い方は図１から図５の使い方と変わらない。
図８については、スリット（５）の形状が円弧状であるが、機能面では図６で説明したものと変わらないがこの形状は、箱のデザイン性を考えたもので、使い方や機能は図６で述べた通りである。又この形状に於いても前記図７の様にスリット（５）を任意の幅の隙間の構造にすることが出来る。
図９に於いては、図５の指押し部（６）、図６の爪掛（１１）をなくしてスリット（５）のみとしたもので、構造としては単純であるが、機能面は図５から図８と変わらない。使い方はスリット（５）をウェーブ刃で任意の箇所にミシン刃状に切り止めを設けるか、ミシン刃で設け、スリット（５）を指先で押し開く構造にしたものである。使い方はスリット（５）を指先で押し開いてティシューペーパー（８）を取り出し、以後連続してペーパーを取り出せる図５から図８に記述した機能と変わらない。
図１０については前記図９のスリット（５）の部分を任意の幅の隙間（１０）にしたもので使い方は、ウェーブ刃で任意の箇所に切り止めを設けてミシン刃状にしたものか、又は、ミシン刃によって設けた取り外し部（１３）を，切り目に沿って取り外す。
ここで、スリット（５）に任意の幅の隙間があることにより、ティシューペーパー（８）を取り出し口（１）より取り出す時のティシューペーパーと取り出し口の摩擦抵抗が減少する。この隙間の幅設定はティシューペーパーの紙質や繊維の方向やイラスト，デザイン性から利用出来る範囲で選択する。
又、ウェーブ刃の任意の箇所に切り止めを設けてミシン刃状にするものと、ミシン刃にするものがある。任意の切り込み設けるウェーブ刃の場合は、切り止めの箇所が随意に設けられるので機能的に使い易い様に出来る。一方ミシン刃は規則的な間隔で切り目が入っているので、切り口は規則的なミシン目状で、外観上見映えが良く、切り口に掛る力が平均に分散される。
【０００６】
【発明の実施の形態２】
図１１を用いて本発明の実施の形態について説明する。
イ）ボックス天面（７）の中央部に、任意の幅の隙間（１０）を構成する様に取り外し部（１３）を設ける。
ロ）取り外し部（１３）の両端は，図に示す様に略楕円形状の切込み（３Ａ）で、その両端は、次に述べる折り目（２）の線上に、任意の位置に切り込まれている。又、略楕円状の切り込みの両端から、箱の外側に向かって弧状の切り込み（３Ｂ）が設けられている。この切り込みは（３Ａ）と交わる様にして、前記イ項の取り外し部と一体と成った取外し部（１３）を設ける。
ハ）両端の取り外し部（１３）の、それぞれ相対面する切り口を挟んで，箱の外側に膨らんで円弧状に結ぶ折り目（２）を設ける。
ニ）イ項の任意の幅の隙間（１０）と前記ハ項の円弧状の折り目（２）により可動片（４Ａ）、（４Ｂ）が設けられる。
図１１は以上の様な構造になっている。
以下、本発明の使い方について説明する。
先ず、任意の幅の隙間の両端の取り外し部を外し、その端部から任意の幅の隙間全体を取り外し、可動片（４Ａ）、（４Ｂ）を開いて、最上部のティシューペーパーを取り出す。以後は連続して取り出しても、その最後の一枚は任意の幅の隙間に取残される様になる。
この形状には、図１２、図１３のバリエーションがある。
図１２は、図１１の任意の幅の隙間の両端（３Ｂ）の弧状切り込み部分を弧状折り目（１６）の形状にしてこれにより補助可動片（１２Ａ），（１２Ｂ）が構成される。
本物品の使い方は、両端の補助可動片の弧状切り込みを押し開き、続いて任意の幅の隙間を切り口に沿って取り外し部（１３）を取り外し可動片（４Ａ）（４Ｂ）を開いてティシューペーパーを取り出す。この図１２は補助可動片（１２Ａ）（１２Ｂ）が設けてあり、ティシューペーパー取り出し口が任意の幅の隙間になっているので、ペーパー取り出し時の取り出し口の摩擦抵抗が小さくても両端の補助可動片が，これを補完する役割を果たしティシューペーパーが取り出し口に留まるようになっている。
図１３は、スリット（５）の両端に前記図１２と同様に補助可動片を設け、スリット中央部に取り外し部（１３）を設けている。これを使用する時は、中央部の取り外し部（１３）を切り目に沿って取り外し、スリット（５）を押し開き、取り外し部の開口部よりティシューペーパーを取り出す。取り外し穴がある為，ティシューペーパーを挟み込む力が少し弱いので、これを補助可動片が、これを補助する役割を果たす。取外し部（１３）は、スリット（５）上の任意の位置でもよい。
【０００７】
【発明の実施の形態３】
図１４を用いて本発明の実施の形態について説明する。
イ）ボックス天面（７）の中央部に任意の弧状のスリット（５）を設ける。
ロ）スリット（５）の弧状と同方向を向く、スリット（５）と同心円状の折り目をスリット（５）を挟んで同じ間隔で二箇所に設ける。
ハ）スリット（５）の両端には，図１４に示す様に切り込みが設けられ、該スリットの夫々の両端は、同心円状に設けられた折り目（２）の線上に沿って、任意の箇所まで延長して切り込んで設けられている。
ニ）イ項、ロ項、ハ項により可動片（４Ａ），（４Ｂ）が構成される。
ホ）ロ項で設けられた二個の折り目の両端の夫々の上下折り返し部を結ぶ弧状の折り目（１６）を設け、これにより補助可動片（１２Ａ），（１２Ｂ）が構成される。
以下、本発明の使い方について説明する。
スリット（５）を指で押し開き可動片（４Ａ）（４Ｂ）を広げてティシューペーパーを取り出す。可動片（４Ａ）は，可動片（４Ｂ）とは折り目が逆で、取り出し口を閉じる力が弱いので、スリット両端の補助可動片がこれを補助してティシューペーパーを取り出し口（１）に挟み込む機能を果たす。
この形状には、図１５、図１６のバリエーションがある。
図１５については、スリット（５）の両端の切り込み（３）は、スリット（５））に直角状に交わっている。またその切り込みは、可動片を形成する折り目（２）に対しても直角状に交わる構造になっている。本品の使い方は、図１４と変わらないが、図１４と違う所は図１５の折り目が図１４より長くなっているので、ティシューペーパー取り出し口が図１４より強い力が働く様になっているので補助可動片が無くてもティシューペーパーの取り出し機能を有している。　図１６は前記図１４の形状と殆ど変わらないがスリット（５）の両端の弧状の折り目（１６）による補助可動片を無くしたものでティシューペーパー取り出し口に、抵抗を持たせる構造にした。図１４と図１６の違いはティシューペーパー取り出し時の抵抗が、ソフトかハードの違いがあるが、これはティシューペーパーの紙質や箱のイラスト、デザイン等で選択使用ができる。
【０００８】
【発明の実施の形態４】
図１７を用いて本発明の実施の形態について説明する。
イ）ボックス天面（７）の中央部にスリット（５）を設ける。
ロ）スリット（５）の両端に，弧状に成る切り込み（３）を設け、この両端の相対する切り口を、箱の中央部分で狭くなる様な円弧状の折り目（２），即ち，前記各実施の形態と反対向きの形状と成る折り目を設けて，可動片（４Ａ），（４Ｂ）を構成する。又切り込みの両端を結ぶ弧状の折り目（１６）を設ける。弧状の切り込み（３）と切り込みの上下を結ぶ折り目（１６）により、補助可動片（１２Ａ），（１２Ｂ）を構成する。
ハ）スリット（５）中央部の任意の箇所に取り外し部（１３）を設け、これを取り外すことで指押し部（６）となる。
ニ）この指押し部（６）は、最上部のティシューペーパー（１４）が取り出せる役割を果たす大きさにしておく。この指押し部（６）は、半円状の爪掛け状の構造にしてティシューペーパーが取り出せる様にする事も出来る。
以下、本発明の使い方について説明する。
スリット（５）に設けられた取り外し部（１３）を取り外し、スリット（５）を開き、開いた取り外し部からティシューペーパーを取り出す。可動片（４Ａ）（４Ｂ）の円弧状の折り目（２）はボックス中央部に凹状に設けているので、ティシューペーパー取り出し口を閉じる力が弱いので、それを補完する機能として補助可動片（４Ａ），（４Ｂ），を設けている。スリット（５）を、任意の幅の隙間の構造にしても、補助可動片が機能を補完してティシューペーパーを取り出し口に留める役割を果たす。この形状は図１８、図１９のバリエーションがある。
図１８に於いては，図１７の事例から，取り外し部を無くしたものである。スリット（５）の形状は，ウェーブ刃に切り止めを設けて切れ具合を調整するミシン刃状にするか、又はミシン刃にする事により、円状又は半円状の爪掛けを設けない構造でも機能面では変わらない。
図１９については、図１７と変わる所は、補助可動片の弧状折り目（１６）の無い形状のもので、弧状切り目がスリット中央部に庇状に突き出した形状で補助片の形状である。図１７の補助可動片のものと比べ柔軟性はないが、可動片（４Ａ），（４Ｂ）、折り目（２）の強さ加減や、ティシューペーパーの紙質等により図１９の形状が効果的に機能を果たす。
【０００９】
【発明の実施の形態５】
図２０を用いて本発明の実施の形態について説明する。
イ）スリット（５）を、ボックス天面（７）の長さ面の陵辺（９）のいずれか一方に片寄った位置に弧状に設ける。この弧状曲線のスリット（５）の両端は、次の項で設ける、円弧状折り目（２）の線上に回りこんで円弧状線上に連接する様に設ける。
ロ）イ項で湾曲状に、その両端が半円状に曲がる様に設けたスリットの両端を結んで円弧状の折り目（２）を設ける。
ハ）円弧状の折り目（２）に回り込んで連接して設けたスリット（５）と円弧状の折り目（２）により一片の蓋状の可動片（１５）が構成される。
ニ）スリット（５）の中央部又は任意の箇所に爪掛け（１１）か指押し部（６）を構成する様に取り外し部（１３）を設ける。
ホ）スリット（５）はウェーブ刃に切り止めを付けてミシン刃状にしたものか，ミシン刃で構成して、取り外し部（１３）を設けない構造にも出来る。
以下、本発明の使い方について説明する。
スリット（５）の爪掛け取り外し部（１３）を取り外す。次に湾曲したスリット（５）を、その切り込みに沿って切り開いてティシューペーパー（８）を取り出す。蓋状に構成された可動片（１５）は、その構造上ティシューペーパー取り出し口（１）を閉じる力が働いており、ティシューペーパーを連続して取り出しても、その最後の一枚は、その半分程度が取り出し口（１）に挟み込まれて留まる状態となって、次回ティシューペーパー（８）を取り出し易いスタンバイ状態になっている。
図２１は、スリット（５）が図２０と同様、ボックス天面の長さ面の陵辺の（９）一方に片寄った位置に直線で設け、その両端の切り込みは、円弧状に設ける折り目に連接する様に、くの字に折れ曲がって、円弧状の折り目の任意の位置にまで切り込む状態で設ける。この切り込みの両端を円弧状に結ぶ折り目（２）を設け、これにより半円状の蓋状の可動片（１５）が構成される。スリット（５）の直線の部分には、爪掛け（１１）又は指押し部（６）を構成する様に取り外し部（１３）を設ける。スリット（５）の切り目は、前記図２０と同様の形状で構成してもよい。
【００１０】
【発明の実施の形態６】
図２２、図２３を用いて本発明の実施の形態について説明する。
イ）ボックス天面（７）の中央部に任意の幅の隙間（１０）と、その中央部か又は任意の箇所に指押し部（６）を構成する様に取り外し部（１３）を設ける。ロ）指押し部（６）を構成する形状は、円状、半円状、四角形、多角形等任意の形状で、ティシューペーパーを取り出せる形状であれば、その形状の構成には限定はない。
以下、本発明の使い方について説明する。
ボックス天面（７）の取り外し部（１３）を、指で押し開いて取り外し、指押し部（６）の開口部からティシューペーパー（８）を取り出す。以後ティシューペーパーを連続して取り出しても、最後のペーパーが任意の幅の隙間（１０）の取り出し口に留まって図２３の状態を維持出来る機能を有する。
【００１１】
【本発明の効果】
イ）従来、ティシューペーパー取り出し口に貼り付けていたポリエチレンフィルムが不要と成って、石油化学製品、強いては原油の節約に貢献出来る。・ティシューボックス一個に使われているポリエチレンフィルム：約０．６ｇ、ティシューボックス一個に使われているフィルムの接着剤：約０．０８ｇで、今や各家庭やオフィスの必需品として使われている月間の需要量は９千万個から一億個或いはそれ以上とも云われて居り、仮に月間９千万個で試算すると
ポリエチレンフィルムが、月間約５４トン
フィルムを貼る接着剤が、月間約７．２トン
で、その合計月間約６１．２トンは全て石油化学製品であり、これの節約に貢献する。
ロ）従来、ボックスを加工する工程のポリエチレンフィルムを貼る工程が省けるので、ボックス加工工程の短縮によるコストダウンが出来る。
ハ）従来、ポリエチレンフィルムを貼っていたので、ティシューペーパー使用後の空き箱は、その殆どが焼却されて、製紙原料等にリサイクル利用さていない。本発明の実施によりボックスの殆どが製紙原料等としてリサイクル利用が可能であり、パルプ資源の節約に貢献出来る。
ニ）ポリエチレンフィルムが貼ってあるボックスの空き箱を焼却しないので、二酸化炭素等を始めとする、大気汚染物質の排出の抑制に貢献出来る。
ホ）ポリエチレンフィルムを貼る工程が無くなるので、フィルムを貼る機械の維持費や人件費の節減は勿論、毎日機械の糊タンクや接着装置周辺を清掃、洗浄する事がなくなり、それまで、糊タンクやその周辺の清掃、洗浄で出る廃液は、其の儘放流出来ないので、法定基準以下になるまで濾過、浄化する必要があり、これによって発生する汚泥の処理費やその装置の維持費用が節約出来る。
ヘ）従来のボックスを使う時は、先ずティシューペーパー取り出し口の枠状のミシン刃部を取り外して、その下に貼ってあるポリエチレンフィルムを露出してから、フィルムのスリットからティシューペーパーを取りだしていたが、本発明ではスリット等を押し開くだけでティシューペーパーが簡単に取り出せる。
ト）請求項１から請求項８まで取り出し口形状の異なる種々のバリエーション構造を記述したが、この夫々の構造、形状はティシューペーパーの紙質や、箱のイラスト、デザイン等からベストな形状、構造の物を選択利用出来る様に考案されている。
【図面の簡単な説明】
【図１】ティシューペーパーが取り出し口に留まった斜視図
【図２】ティシューボックス中央部附近の要部断面図
【図３】ティシューペーパー取り出し中の図５の斜視図
【図４】本発明の使用状態を示す図５の要部断面図
【図５】ティシューペーパー取り出し口構造のバリエーション図
【図６】ティシューペーパー取り出し口構造のバリエーション図
【図７】ティシューペーパー取り出し口構造のバリエーション図
【図８】ティシューペーパー取り出し口構造のバリエ
【図９】ティシューペーパー取り出し口構造のバリエーション図
【図１０】ティシューペーパー取り出し口構造のバリエーション図
【図１１】ティシューペーパー取り出し口構造のバリエーション図
【図１２】ティシューペーパー取り出し口構造のバリエーション図
【図１３】ティシューペーパー取り出し口構造のバリエーション図
【図１４】ティシューペーパー取り出し口構造のバリエーション図
【図１５】ティシューペーパー取り出し口構造のバリエーション図
【図１６】ティシューペーパー取り出し口構造のバリエーション図
【図１７】ティシューペーパー取り出し口構造のバリエーション図
【図１８】ティシューペーパー取り出し口構造のバリエーション図
【図１９】ティシューペーパー取り出し口構造のバリエーション図
【図２０】ティシューペーパー取り出し口構造のバリエーション図
【図２１】ティシューペーパー取り出し口構造のバリエーション斜視図
【図２２】ティシューペーパー取り出し口構造のバリエーション図
【図２３】図２２の斜視図
【符号の説明】
１　ティシューペーパー取り出し口
２　円弧状折り目
３　３Ａ，３Ｂスリット両端の切り込み
４　４Ａ，４Ｂ可動片
５　スリット
６　指押し部
７　ボックス天面
８　ティシューペーパ
９　箱の天面の長さ面の陵辺
１０　任意の幅の隙間
１１　爪掛け
１２　１２Ａ，１２Ｂ補助可動片
１３　取り外し部
１４　最上部のティシューペーパー
１５　蓋状可動片
１６　弧状の折り目
【図１】
2004059150.tif 000003
【図２】
2004059150.tif 000004
【図３】
2004059150.tif 000005
【図４】
2004059150.tif 000006
【図５】
2004059150.tif 000007
【図６】
2004059150.tif 000008
【図７】
2004059150.tif 000009
【図８】
2004059150.tif 000010
【図９】
2004059150.tif 000011
【図１０】
2004059150.tif 000012
【図１１】
2004059150.tif 000013
【図１２】
2004059150.tif 000014
【図１３】
2004059150.tif 000015
【図１４】
2004059150.tif 000016
【図１５】
2004059150.tif 000017
【図１６】
2004059150.tif 000018
【図１７】
2004059150.tif 000019
【図１８】
2004059150.tif 000020
【図１９】
2004059150.tif 000021
【図２０】
2004059150.tif 000022
【図２１】
2004059150.tif 000023
【図２２】
2004059150.tif 000024
【図２３】
2004059150.tif 000025